Podtech/llm-jp-corpus-v4-ja_patent huggingface dataset:
【手続補正書】
【提出日】令和1年5月10日(2019.5.10)
【手続補正１】
【補正対象書類名】特許請求の範囲
【補正対象項目名】全文
【補正方法】変更
【補正の内容】
【特許請求の範囲】
【請求項１】
糖尿病の処置を必要とする患者において糖尿病を処置するためのシステムであって、
該患者の体内に植え込まれるように構成されたデバイスであって、
該デバイスは、
少なくとも１つのチャンバーの壁を形成する免疫学的に適合性のポリマーメッシュを含む多孔質足場であって、該チャンバーが、該チャンバーの近位端部および遠位端部のいずれかまたは両方に開口部を備え、該近位端部と該遠位端部とが、該壁が境界を成すルーメンによって離れており、該多孔質足場は、該少なくとも１つのチャンバーの該壁の周囲でのおよび該壁を通る血管および結合組織の成長を助長する大きさの孔を有する、多孔質足場と；
該少なくとも１つのチャンバーの該ルーメン内に配置されるように構成された、少なくとも１つの取り外し可能な非多孔質プラグであって、該チャンバーの該ルーメンに沿って延びている、プラグと；
該チャンバーの該近位端部および該遠位端部のいずれかまたは両方を閉じるように構成された少なくとも１つのシールと；
を備える、デバイス
を備え、
該デバイスは、該デバイスに血管および結合組織が浸潤するまで、該患者の体内に維持されるように構成され；
植え込まれた該デバイスは、アクセス可能であり、かつ、該少なくとも１つのシールを開けるように構成され；
該プラグは、引き抜かれるように構成され；
該チャンバーは、細胞が注入されるように構成され；
該少なくとも１つのシールは、再び閉じられるように構成され；そして
該細胞は、糖尿病の処置を提供する、
システム。
【請求項２】
前記多孔質足場が、細胞送達前にイメージングされ得る、請求項１に記載のシステム。
【請求項３】
前記細胞がランゲルハンス島細胞を含む、請求項１に記載のシステム。
【請求項４】
細胞が、ランゲルハンス島細胞と、セルトリ細胞、間葉幹細胞、分化した幹細胞および遺伝子操作された細胞のうちの１つ以上とを含む、請求項１に記載のシステム。
【請求項５】
前記細胞が幹細胞を含む、請求項１に記載のシステム。
【請求項６】
前記細胞が、同種異系ドナー細胞、異種ドナー細胞または同系ドナー細胞、または患者由来の細胞を含む、請求項１に記載のシステム。
【請求項７】
前記細胞が、遺伝子操作された細胞または細胞系を含む、請求項１に記載のシステム。
【請求項８】
前記細胞が、分化した幹細胞またはカプセル化された細胞を含む、請求項１に記載のシステム。
【請求項９】
前記細胞が、アルギネート、多糖ヒドロゲル、キトサン、カルシウム、またはアルギン酸バリウム、アルギネートおよびポリリシンの層状マトリックス、光重合ポリ（エチレングリコール）ポリマー、ポリアクリレート、ヒドロゲルメタクリレート、メチルメタクリレート、シリコンカプセル、シリコンナノカプセル、ポリメンブレン、またはアクリロニトリル−コ−塩化ビニルにおいてカプセル化される、請求項１に記載のシステム。
【請求項１０】
前記細胞が、ランゲルハンス島細胞、セルトリ細胞、幹細胞、分化した幹細胞、胚性幹細胞、同種異系細胞、異種細胞または同系細胞、および、遺伝子操作された細胞または細胞系から選択される２つ以上の細胞種を含む、請求項１に記載のシステム。
【請求項１１】
前記少なくとも１つのシールが、前記多孔質足場に超音波溶接されるポリマーフィルムである、請求項１に記載のシステム。
【請求項１２】
前記デバイスが、前記多孔質足場の少なくとも一部をコーティングする材料をさらに含むように構成され、該材料が、組織の組み込みおよび血管形成を刺激する、請求項１に記載のシステム。
【請求項１３】
前記材料が、成長因子、抗線維化剤、ポリマー、血管内皮成長因子（ＶＥＧＦ）、コラーゲン、フィブロネクチン、ポリエチレン−イミンおよび硫酸デキストラン、ポリビニルシロキサンおよびポリエチレンイミン、ホスホリルコリン、ポリ（エチレングリコール）、ポリ（乳酸−コ−グリコール酸）、ポリ（乳酸）、ポリヒドロキシバレレートおよびコポリマー、ポリヒドロキシブチレートおよびコポリマー、ポリジアキサノン、ポリ無水物、ポリ（アミノ酸）、ポリ（オルトエステル）、ゼラチン、セルロースポリマー、キトサン、アルギネート、ビンキュリン、寒天、アガロース、ヒアルロン酸、およびマトリゲルのうちの１つ以上を含む、請求項１２に記載のシステム。
【請求項１４】
前記多孔質足場が、多孔質の前記チャンバー内への血管および結合組織の成長を助長して、血管新生コラーゲンマトリックス中で前記プラグを被包するように構成され、該プラグは、該血管新生コラーゲンマトリックス中で被包された該チャンバー内に空間を作るように、該チャンバーから引き抜くことができる、請求項１に記載のシステム。
【請求項１５】
前記多孔質足場が、１つのチャンバー、２つのチャンバー、３つのチャンバー、４つのチャンバー、５つのチャンバー、６つのチャンバー、７つのチャンバー、８つのチャンバー、１０のチャンバー、１２のチャンバー、またはそれ以上のチャンバーを含むように構成される、請求項１に記載のシステム。
【請求項１６】
多孔質足場が、横方向に接続された複数のチャンバーを含むように構成される、請求項１に記載のシステム。
【請求項１７】
前記植え込まれた細胞がインスリンを産生し、前記糖尿病がインスリン依存糖尿病である、請求項１に記載のシステム。
【請求項１８】
前記デバイスが、前記患者を正常血糖に回復させるように構成される、請求項１に記載のシステム。
【請求項１９】
前記患者が無自覚性低血糖を有する、請求項１８に記載のシステム。
【手続補正書】
【提出日】平成31年4月3日(2019.4.3)
【手続補正１】
【補正対象書類名】特許請求の範囲
【補正対象項目名】全文
【補正方法】変更
【補正の内容】
【特許請求の範囲】
【請求項１】
所定の絵柄を表示する表示装置と、
所定の音を出力するスピーカと、
所定の光を発光する発光体と、
遊技者から見て前記表示装置の後方領域で動作可能な可動体と、
遊技球の所定の入賞口への入賞に応じて抽選を実行し、前記抽選に当選した場合、特別遊技状態に移行する遊技制御手段と、
前記表示装置による前記所定の絵柄の表示、前記スピーカによる前記所定の音の出力、前記発光体による前記所定の光の発光、及び前記可動体の動作、を制御する周辺制御手段と、を備える遊技機であって、
前記周辺制御手段は、
前記可動体を前記後方領域で動作させ、かつ前記スピーカによる前記所定の音の出力又は前記発光体による前記所定の光の発光の少なくとも一方を実行させる、第一のパターンと、
前記可動体を前記後方領域で動作させ、前記表示装置に前記所定の絵柄を表示させ、かつ前記第一のパターンにおいて実行され得る前記スピーカによる前記所定の音の出力及び前記発光体による前記所定の光の発光を実行させない第二のパターンと、を実行可能であり、
前記表示装置に前記所定の絵柄が表示される前記第二のパターンが実行されているときに前記可動体の後方にある後方表示装置の表示態様が変化し、
前記第二のパターンによって、前記所定の絵柄を表示させたあとに当該所定の絵柄を非表示とし、当該所定の絵柄が非表示とされたあとに当該所定の絵柄と同様の絵柄の表示が行われる
ことを特徴とする遊技機。
【手続補正２】
【補正対象書類名】明細書
【補正対象項目名】０００４
【補正方法】変更
【補正の内容】
【０００４】
しかしながら、導光板を用いた演出にはまだまだ改善の余地がある。
【手続補正３】
【補正対象書類名】明細書
【補正対象項目名】０００５
【補正方法】変更
【補正の内容】
【０００５】
そこで本発明の一態様は、導光板を用いた演出に工夫が施された遊技機を提供することを目的とする。
【手続補正４】
【補正対象書類名】明細書
【補正対象項目名】０００６
【補正方法】変更
【補正の内容】
【０００６】
上記課題を解決するため、本発明の一態様は以下の構成を採用する。所定の絵柄を表示する表示装置と、所定の音を出力するスピーカと、所定の光を発光する発光体と、遊技者から見て前記表示装置の後方領域で動作可能な可動体と、遊技球の所定の入賞口への入賞に応じて抽選を実行し、前記抽選に当選した場合、特別遊技状態に移行する遊技制御手段と、前記表示装置による前記所定の絵柄の表示、前記スピーカによる前記所定の音の出力、前記発光体による前記所定の光の発光、及び前記可動体の動作、を制御する周辺制御手段と、を備える遊技機であって、前記周辺制御手段は、前記可動体を前記後方領域で動作させ、かつ前記スピーカによる前記所定の音の出力又は前記発光体による前記所定の光の発光の少なくとも一方を実行させる、第一のパターンと、前記可動体を前記後方領域で動作させ、前記表示装置に前記所定の絵柄を表示させ、かつ前記第一のパターンにおいて実行され得る前記スピーカによる前記所定の音の出力及び前記発光体による前記所定の光の発光を実行させない第二のパターンと、を実行可能であり、前記表示装置に前記所定の絵柄が表示される前記第二のパターンが実行されているときに前記可動体の後方にある後方表示装置の表示態様が変化し、前記第二のパターンによって、前記所定の絵柄を表示させたあとに当該所定の絵柄を非表示とし、当該所定の絵柄が非表示とされたあとに当該所定の絵柄と同様の絵柄の表示が行われることを特徴とする遊技機。
【手続補正５】
【補正対象書類名】明細書
【補正対象項目名】０００７
【補正方法】変更
【補正の内容】
【０００７】
本発明の一態様によれば、導光板を用いた演出に工夫が施された遊技機を提供することができる。
【手続補正書】
【提出日】令和1年7月29日(2019.7.29)
【手続補正１】
【補正対象書類名】特許請求の範囲
【補正対象項目名】全文
【補正方法】変更
【補正の内容】
【特許請求の範囲】
【請求項１】
複数のリールと、
スタートスイッチと
を備え、
特別遊技状態の開始条件を満たすと、特別遊技状態を開始し得るよう構成されており、
特別遊技状態における演出傾向に関する選択演出が実行され得るよう構成されており、
選択演出が実行されている所定の状況において、スタートスイッチが操作された場合には、前記選択演出の実行を終了し得るよう構成されており、
特別遊技状態において、所定の条件を充足すると、所定のフリーズの実行と、特定表示の表示と、をし得るよう構成されている
ことを特徴とする回胴式遊技機。

【手続補正２】
【補正対象書類名】明細書
【補正対象項目名】０００６
【補正方法】変更
【補正の内容】
【０００６】
本態様に係る回胴式遊技機は、
複数のリールと、
スタートスイッチと
を備え、
特別遊技状態の開始条件を満たすと、特別遊技状態を開始し得るよう構成されており、
特別遊技状態における演出傾向に関する選択演出が実行され得るよう構成されており、
選択演出が実行されている所定の状況において、スタートスイッチが操作された場合には、前記選択演出の実行を終了し得るよう構成されており、
特別遊技状態において、所定の条件を充足すると、所定のフリーズの実行と、特定表示の表示と、をし得るよう構成されている
ことを特徴とする回胴式遊技機である。
＜付記＞
尚、本態様とは異なる別態様について以下に列記しておくが、これらには何ら限定されることなく実施することが可能である。
本別態様に係る回胴式遊技機は、
特別役に係る一の図柄組合せが停止表示されることで特別遊技状態へ移行し、
前記特別役に係る一の図柄組合せと対応する特別遊技状態において、役の当選傾向が異なる複数種類の抽選テーブルのうちの何れかの抽選テーブルに基づき役抽選を行い、
前記複数種類の抽選テーブルのうちの何れかを設定する振分制御が、前記役抽選の結果には依存せずに行われるよう構成されている
ことを特徴とする回胴式遊技機である。
【手続補正書】
【提出日】令和1年7月29日(2019.7.29)
【手続補正１】
【補正対象書類名】特許請求の範囲
【補正対象項目名】全文
【補正方法】変更
【補正の内容】
【特許請求の範囲】
【請求項１】
複数のリールと、
スタートスイッチと
を備え、
特別遊技状態の開始条件を満たすと、特別遊技状態を開始し得るよう構成されており、
特別遊技状態における演出傾向に関する選択演出が実行され得るよう構成されており、
選択演出が実行されていることを含む所定の状況であり、選択演出が開始された以降の第１のタイミングにおいて、スタートスイッチが操作された場合には、選択演出が終了されて第１の演出傾向に基づいた演出が実行され得るよう構成されており、
選択演出が実行されていることを含む所定の状況であり、選択演出が開始された以降の第２のタイミングにおいて、スタートスイッチが操作された場合には、選択演出が終了されて第２の演出傾向に基づいた演出が実行され得るよう構成されており、
選択演出が実行されていることを含む所定の状況であり、選択演出が開始された以降の第３のタイミングにおいて、スタートスイッチが操作された場合には、選択演出が終了されて第１の演出傾向に基づいた演出が実行され得るよう構成されており、
第２のタイミングは第１のタイミングよりも後のタイミングであり、
第３のタイミングは第２のタイミングよりも後のタイミングであり、
特別遊技状態において、所定の条件を充足すると、所定のフリーズの実行と、特定表示の表示と、をし得るよう構成されている
ことを特徴とする回胴式遊技機。

【手続補正２】
【補正対象書類名】明細書
【補正対象項目名】０００６
【補正方法】変更
【補正の内容】
【０００６】
本態様に係る回胴式遊技機は、
複数のリールと、
スタートスイッチと
を備え、
特別遊技状態の開始条件を満たすと、特別遊技状態を開始し得るよう構成されており、
特別遊技状態における演出傾向に関する選択演出が実行され得るよう構成されており、
選択演出が実行されていることを含む所定の状況であり、選択演出が開始された以降の第１のタイミングにおいて、スタートスイッチが操作された場合には、選択演出が終了されて第１の演出傾向に基づいた演出が実行され得るよう構成されており、
選択演出が実行されていることを含む所定の状況であり、選択演出が開始された以降の第２のタイミングにおいて、スタートスイッチが操作された場合には、選択演出が終了されて第２の演出傾向に基づいた演出が実行され得るよう構成されており、
選択演出が実行されていることを含む所定の状況であり、選択演出が開始された以降の第３のタイミングにおいて、スタートスイッチが操作された場合には、選択演出が終了されて第１の演出傾向に基づいた演出が実行され得るよう構成されており、
第２のタイミングは第１のタイミングよりも後のタイミングであり、
第３のタイミングは第２のタイミングよりも後のタイミングであり、
特別遊技状態において、所定の条件を充足すると、所定のフリーズの実行と、特定表示の表示と、をし得るよう構成されている
ことを特徴とする回胴式遊技機である。
＜付記＞
尚、本態様とは異なる別態様について以下に列記しておくが、これらには何ら限定されることなく実施することが可能である。
本別態様に係る回胴式遊技機は、
特別役に係る一の図柄組合せが停止表示されることで特別遊技状態へ移行し、
前記特別役に係る一の図柄組合せと対応する特別遊技状態において、役の当選傾向が異なる複数種類の抽選テーブルのうちの何れかの抽選テーブルに基づき役抽選を行い、
前記複数種類の抽選テーブルのうちの何れかを設定する振分制御が、前記役抽選の結果には依存せずに行われ、
前記振分制御は、前記特別役に係る一の図柄組合せが停止表示されるまでの遊技状況に基づき行われるよう構成されている
ことを特徴とする回胴式遊技機である。
【手続補正書】
【提出日】令和1年8月28日(2019.8.28)
【手続補正１】
【補正対象書類名】特許請求の範囲
【補正対象項目名】全文
【補正方法】変更
【補正の内容】
【特許請求の範囲】
【請求項１】
遊技機の内部に貯留した遊技価値を精算する精算処理を指令する所定のスイッチを備える遊技機において、
遊技制御用ＣＰＵのタイマ割込処理により、前記所定のスイッチの連続オン時間を記録して所定値に達すると精算許可を出し、前記所定のスイッチのオフにより前記連続オン時間をクリアする定時割込精算管理手段と、
前記精算許可に基づいて精算処理を実行させる精算処理実行手段と、
遊技の終了に基づく初期化処理時に、前記連続オン時間及び前記精算許可の記憶エリアをクリアする精算管理初期化手段とを設けたことを特徴とする遊技機。
【手続補正２】
【補正対象書類名】明細書
【補正対象項目名】０００７
【補正方法】変更
【補正の内容】
【０００７】
図面の符号を括弧内に付記して例示する。
遊技機の内部に貯留した遊技価値を精算する精算処理を指令する所定のスイッチ（精算ボタン４）を備える遊技機において、
遊技制御用ＣＰＵ（メインＣＰＵ）のタイマ割込処理により、前記所定のスイッチの連続オン時間を記録して所定値に達すると精算許可を出し、前記所定のスイッチのオフにより前記連続オン時間をクリアする定時割込精算管理手段（４１）と、
前記精算許可に基づいて精算処理を実行させる精算処理実行手段（４２）と、
遊技の終了に基づく初期化処理時に、前記連続オン時間及び前記精算許可の記憶エリアをクリアする精算管理初期化手段（４３）とを設けた。
【手続補正書】
【提出日】令和1年8月21日(2019.8.21)
【手続補正１】
【補正対象書類名】特許請求の範囲
【補正対象項目名】全文
【補正方法】変更
【補正の内容】
【特許請求の範囲】
【請求項１】
複数の画素が行列状に配置されたセンサアレイと、
周期的なパルス列からなる同期信号と、前記同期信号に同期したタイミング制御信号とに基づいて、前記画素に電荷を蓄積する蓄積動作と前記画素に蓄積された電荷を読み出す読み出し動作とを周期的に行う制御部と、を有する放射線撮像装置であって、
前記制御部は、前記同期信号に対する前記タイミング制御信号の位相を変えることによって、１周期内における、前記蓄積動作を行う期間と前記読み出し動作を行う期間との比率を変えることを特徴とする放射線撮像装置。
【請求項２】
複数の画素が行列状に配置されたセンサアレイと、
周期的なパルス列からなる同期信号と、前記同期信号に同期したタイミング制御信号とに基づいて、前記画素に電荷を蓄積する蓄積動作と前記画素に蓄積された電荷を読み出す読み出し動作とを、所定の周期で行う制御部と、を有する放射線撮像装置であって、
前記制御部は、指定された撮影部位に応じて、前記同期信号に対する前記タイミング制御信号の位相を変えることを特徴とする放射線撮像装置。
【請求項３】
前記制御部は、前記センサアレイの読み出し可能な領域におけるトリミングによる部分領域の範囲に応じて、前記同期信号に対する前記タイミング制御信号の位相を変える請求項１記載の放射線撮像装置。
【請求項４】
前記制御部は、前記同期信号の１周期内で、前記蓄積動作と前記読み出し動作とを行う請求項１又は２記載の放射線撮像装置。
【請求項５】
前記同期信号に同期して、前記読み出し動作の開始、又は前記蓄積動作の終了が行われ、前記タイミング制御信号のパルスの立下りのタイミングで、前記読み出し動作の終了、又は前記蓄積動作の開始が行われる請求項１又は２記載の放射線撮像装置。
【請求項６】
前記制御部は、前記センサアレイの読み出し可能な領域におけるトリミングによる部分領域の範囲に応じて、前記周期と、１周期内における前記蓄積動作を行う期間と前記読み出し動作を行う期間との比率とを変える請求項１記載の放射線撮像装置。
【請求項７】
前記制御部は、前記周期に応じて、前記センサアレイの読み出し可能な領域におけるトリミングによる部分領域の範囲と、１周期内における前記蓄積動作を行う期間と前記読み出し動作を行う期間との比率とを変える請求項１記載の放射線撮像装置。
【請求項８】
前記制御部は、前記蓄積動作を行う期間が変化しないように、前記周期と、前記比率とを変える請求項６記載の放射線撮像装置。
【請求項９】
前記制御部は、前記蓄積動作を行う期間が変化しないように、前記範囲と、前記比率とを変える請求項７記載の放射線撮像装置。
【請求項１０】
前記制御部は、周期的なパルス列からなる同期信号と、前記同期信号に同期したタイミング制御信号とに基づいて、前記蓄積動作と前記読み出し動作とを行い、前記トリミングによる部分領域の範囲に応じて、前記同期信号に対する前記タイミング制御信号の位相を変える請求項６記載の放射線撮像装置。
【請求項１１】
前記制御部は、前記同期信号の１周期内における、前記蓄積動作を行う期間と前記読み出し動作を行う期間との比率とを変える請求項２記載の放射線撮像装置。
【請求項１２】
前記制御部は、前記蓄積動作を行う期間が変化しないように、前記周期と、前記比率とを変える請求項１１記載の放射線撮像装置。
【請求項１３】
複数の画素が行列状に配置されたセンサアレイを有する放射線撮像装置の制御方法であって、
周期的なパルス列からなる同期信号と、前記同期信号に同期したタイミング制御信号とに基づいて、前記画素に電荷を蓄積する蓄積動作と前記画素に蓄積された電荷を読み出す読み出し動作とを周期的に行うステップを有し、
前記同期信号に対する前記タイミング制御信号の位相を変えることによって、１周期内における、前記蓄積動作を行う期間と前記読み出し動作を行う期間との比率を変えることを特徴とする放射線撮像装置の制御方法。
【請求項１４】
複数の画素が行列状に配置されたセンサアレイを有する放射線撮像装置の制御方法であって、
周期的なパルス列からなる同期信号と、前記同期信号に同期したタイミング制御信号とに基づいて、前記画素に電荷を蓄積する蓄積動作と前記画素に蓄積された電荷を読み出す読み出し動作とを、所定の周期で行うステップを有し、
前記ステップでは、指定された撮影部位に応じて、前記同期信号に対する前記タイミング制御信号の位相を変えることを特徴とする放射線撮像装置の制御方法。
【手続補正２】
【補正対象書類名】明細書
【補正対象項目名】発明の名称
【補正方法】変更
【補正の内容】
【発明の名称】放射線撮像装置、および放射線撮像装置の制御方法
【手続補正３】
【補正対象書類名】明細書
【補正対象項目名】０００９
【補正方法】変更
【補正の内容】
【０００９】
上記目的を達成するための一手段として、本発明の放射線撮像装置は以下の構成を有する。すなわち、複数の画素が行列状に配置されたセンサアレイと、周期的なパルス列からなる同期信号と、前記同期信号に同期したタイミング制御信号とに基づいて、前記画素に電荷を蓄積する蓄積動作と前記画素に蓄積された電荷を読み出す読み出し動作とを周期的に行う制御部と、を有する放射線撮像装置であって、前記制御部は、前記同期信号に対する前記タイミング制御信号の位相を変えることによって、１周期内における、前記蓄積動作を行う期間と前記読み出し動作を行う期間との比率を変える。
【手続補正書】
【提出日】令和1年9月5日(2019.9.5)
【手続補正１】
【補正対象書類名】特許請求の範囲
【補正対象項目名】全文
【補正方法】変更
【補正の内容】
【特許請求の範囲】
【請求項１】
上側金属ブロックと下側金属ブロックからなる一対の金属ブロックとこれらの金属ブロックの間に固定された圧電素子とから構成されたランジュバン型超音波振動子がハウジング内に収容されてなる超音波振動発生装置であって、
上記ランジュバン型超音波振動子の圧電素子が、上方に向けて径が縮小するテーパ面を周縁側面に持つ環状支持体枠上に支持固定されていること、
上記ハウジングの内側下端部には、上記環状支持体枠の周縁側面のテーパ面と嵌め合わされる、下方に向けて径が拡大するテーパ面が形成され、そして外側下端部近傍にはオネジ面が形成されていること、
そして、
上記環状支持体枠の周縁側面のテーパ面と上記ハウジングの内側下端部のテーパ面とが向かい合わされた状態で、内面上側部にメネジ面が形成され、そして内面下側部に内周側に延びた縮径部を備えたハウジングナットにより、このハウジングナットのメネジ面をハウジングのオネジ面に締付けて、上記環状支持体枠の底面と上記ハウジングナットの延長部とを接触させることにより、ランジュバン型振動子をハウジング内に支持固定したことを特徴とする超音波振動発生装置。
【請求項２】
上側金属ブロックと下側金属ブロックからなる一対の金属ブロックとこれらの金属ブロックの間に固定された圧電素子とから構成されたランジュバン型超音波振動子がハウジング内に収容されてなる超音波振動発生装置であって、
上記ランジュバン型超音波振動子の圧電素子が、下方に向けて径が縮小するテーパ面を周縁側面に持つ環状支持体枠上に支持固定されていること、
上記ハウジングの外側下端部近傍にオネジ面が形成されていること、
そして、
内面上側部にメネジ面が形成され、そして内面下側部に下方に向けて径が縮小するテーパ面が形成された縮径部を備えたハウジングナットを用いて、このハウジングナットのメネジ面をハウジングのオネジ面に締付けることにより、ランジュバン型振動子をハウジング内に支持固定したことを特徴とする超音波振動発生装置。
【請求項３】
上側金属ブロックと下側金属ブロックからなる一対の金属ブロックとこれらの金属ブロックの間に固定された圧電素子とから構成されたランジュバン型超音波振動子がハウジング内に収容されてなる超音波振動発生装置であって、
上記ランジュバン型超音波振動子の圧電素子が、上方に向けて径が縮小するテーパ面を周縁側面上側部に持ち、周縁側面下側部には下方に向けて径が縮小するテーパ面を持つ環状支持体枠により支持固定されていること、
上記ハウジングの内側下端部には、上記環状支持体枠の周縁側面上側部のテーパ面と嵌め合わされる、下方に向けて径が拡大するテーパ面が形成され、そして外側下端部近傍にはオネジ面が形成されていること、
そして、
内面上側部にメネジ面が形成され、そして内面下側部に下方に向けて径が縮小するテーパ面が形成された縮径部を備えたハウジングナットを用いて、このハウジングナットのメネジ面をハウジングのオネジ面に締付けることにより、ランジュバン型振動子をハウジング内に支持固定したことを特徴とする超音波振動発生装置。
【請求項４】
環状支持体枠の厚さが、圧電素子の直径の１／５よりも大きく、２／３よりも小さい請求項１乃至３のいずれかに記載の超音波振動発生装置。
【請求項５】
下側金属ブロックの側面とハウジングナットの縮径部の先端部との間に空隙が形成されている請求項１乃至３のいずれかに記載の超音波振動発生装置。
【請求項６】
ハウジングの下端部とハウジングナットの縮径部の基部との間に空隙が形成されている請求項１乃至３のいずれかに記載の超音波振動発生装置。
【手続補正書】
【提出日】令和1年10月7日(2019.10.7)
【手続補正１】
【補正対象書類名】特許請求の範囲
【補正対象項目名】全文
【補正方法】変更
【補正の内容】
【特許請求の範囲】
【請求項１】
流入口および流出口を有するヘッドと、
略有底筒形状のケースと、前記ケースの内周面又は外周面に形成された第１のねじ部であって、前記ケースの開口端近傍に形成された第１のねじ部と、前記ケースの内部に設けられるフィルタエレメントと、を有するフィルタエレメント組立体と、
弾性変形が可能な材料を用いて形成された略円環形状の弾性部材と、
を備え、
前記ヘッドは、前記第１のねじ部と螺合する第２のねじ部が形成され、
前記ケースには、前記第１のねじ部が形成された面に、前記第１のねじ部に隣接して凹部が形成され、
前記凹部には、前記弾性部材が設けられ、
前記第１のねじ部と前記第２のねじ部とを螺合させると、前記フィルタエレメント組立体が前記ヘッドに取り付けられるとともに、前記弾性部材が前記第２のねじ部の凹凸形状に沿って変形して前記ケースと前記ヘッドとの間を密封することを特徴とするフィルタ装置。
【請求項２】
請求項１に記載のフィルタ装置であって、
前記凹部は、前記ケースの前記内周面又は前記外周面と略直交する先端面の一部を切り欠くように形成され、
前記弾性部材は、前記フィルタエレメント組立体が前記ヘッドに取り付けられると、前記先端面と、前記ヘッドと、の間を密封することを特徴とするフィルタ装置。
【請求項３】
請求項２に記載のフィルタ装置であって、
前記弾性部材は、断面が略Ｕ字形状であり、前記先端面を覆うように前記ケースに設けられることを特徴とするフィルタ装置。
【手続補正書】
【提出日】令和1年8月19日(2019.8.19)
【手続補正１】
【補正対象書類名】特許請求の範囲
【補正対象項目名】全文
【補正方法】変更
【補正の内容】
【特許請求の範囲】
【請求項１】
搭乗者を輸送する移動体の移動中に撮影装置によって過去に撮影された前記移動体の外界の風景を、異時点映像データとして撮影日時および撮影位置とともに記憶する記憶部と、
前記移動体の移動中に前記搭乗者による前記異時点映像データを表示する要求を受け付ける操作部と、
前記操作部が前記要求を受け付けたときの前記移動体の現在地に対応する前記異時点映像データを特定する異時点映像処理部と、
前記異時点映像処理部が特定した前記異時点映像データを表示装置へ出力する出力部と
を有することを特徴とする映像出力装置。
【請求項２】
前記移動体の移動中に前記搭乗者による反応を検出する検出部
を備え、
前記記憶部は、
前記移動体から撮像した現在の前記風景である映像データをさらに記憶し、
前記出力部は、
前記検出部が検出した前記反応に対応する前記映像データを前記表示装置へ出力し、前記要求が受け付けられたときは前記異時点映像データを出力すること
を特徴とする請求項１に記載の映像出力装置。
【請求項３】
前記記憶部は、
１つの前記撮影位置について、前記撮影日時が異なる複数の前記異時点映像データを記憶し、
前記操作部は、
前記撮影日時の条件の指定を含む前記要求を受け付け、
前記異時点映像処理部は、
指定された前記撮影日時に合致する前記異時点映像データを特定すること
を特徴とする請求項１または２に記載の映像出力装置。
【請求項４】
前記記憶部は、
前記異時点映像データについて、撮像時点の気象状況とともに記憶し、
前記異時点映像処理部は、
前記気象状況に基づいて前記異時点映像データを特定すること
を特徴とする請求項１、２または３に記載の映像出力装置。
【請求項５】
前記異時点映像処理部は、
現在の日時または天候が所定の条件に合致した場合、前記所定の条件に基づいて前記異時点映像データを特定し、
前記出力部は、
前記所定の条件が成立した場合に、前記要求によらず、前記異時点映像データを前記表示装置へ出力すること
を特徴とする請求項１〜４のいずれか一つに記載の映像出力装置。
【請求項６】
コンピュータが
搭乗者を輸送する移動体の移動中に撮影装置によって過去に撮影された前記移動体の外界の風景を、異時点映像データとして撮影日時および撮影位置とともに記憶し、
前記移動体の移動中に前記搭乗者による前記異時点映像データを表示する要求を受け付け、
前記要求を受け付けたときに前記移動体の現在地に対応する前記異時点映像データを特定し、
特定した前記異時点映像データを表示装置へ出力する
処理を実行することを特徴とする映像出力方法。
【請求項７】
移動体の複数の搭乗者それぞれの着座位置から見える外界の風景を撮像した映像を、それぞれ異なる映像データとして記憶する記憶部と、
前記搭乗者の反応を検出する検出部と、
前記異なる映像データのうち、前記反応が検出された前記搭乗者から見える前記風景の映像データを、当該搭乗者と前記移動体の進行方向に向かって逆側の前記搭乗者に対して出力する出力部と、
を有することを特徴とする映像出力装置。
【手続補正書】
【提出日】平成30年12月28日(2018.12.28)
【手続補正１】
【補正対象書類名】特許請求の範囲
【補正対象項目名】全文
【補正方法】変更
【補正の内容】
【特許請求の範囲】
【請求項１】
光を電荷変換して電荷を生成する第１光電変換部と第２光電変換部と、
前記第１光電変換部で生成された電荷が転送される第１ノードと、
前記第２光電変換部で生成された電荷が転送される第２ノードと、
前記第１光電変換部で生成された電荷を前記第１ノードに転送する第１転送トランジスタと、
前記第１ノードと前記第２ノードとを連結可能な第１連結トランジスタと、を備え、
前記第１転送トランジスタのドレインと前記第１連結トランジスタのソースとが共有される撮像素子。
【請求項２】
請求項１に記載の撮像素子において、
光を電荷変換して電荷を生成する第３光電変換部と、
前記第３光電変換部で生成された電荷を前記第１ノードに転送する第３転送トランジスタと、を備え、
前記第３転送トランジスタのドレインと前記第１連結トランジスタのソースとが共有される撮像素子。
【請求項３】
請求項１または２に記載の撮像素子において、
前記第１ノードの電位を所定の電位にリセットするリセットトランジスタを備え、
前記第１転送トランジスタのドレインと前記リセットトランジスタのソースとが共有される撮像素子。
【請求項４】
請求項１〜３のいずれか１項に記載の撮像素子において、
前記第１ノードと前記第２ノードとを連結可能な第２連結トランジスタと、を備え、
前記第１ノードと前記第２ノードとは、前記第１連結トランジスタと前記第２連結トランジスタとを介して連結される撮像素子。
【請求項５】
請求項４に記載の撮像素子において、
前記第２光電変換部で生成された電荷を前記第２ノードに転送する第２転送トランジスタを備え、
前記第２転送トランジスタのドレインと前記第２連結トランジスタのソースとが共有される撮像素子。
【請求項６】
請求項１〜５のいずれか１項に記載の撮像素子において、
前記第１光電変換部と前記第２光電変換部とは第１方向に配置され、
前記第１転送トランジスタと前記第１連結トランジスタとは前記第１方向に配置される撮像素子。
【請求項７】
請求項２に記載の撮像素子において、
前記第１光電変換部と前記第３光電変換部とは第１方向に配置され、
前記第１転送トランジスタと前記第１連結トランジスタとは前記第１方向と交差する第２方向に配置される撮像素子。
【請求項８】
請求項３に記載の撮像素子において、
前記第１光電変換部と前記第２光電変換部とは第１方向に配置され、
前記第１転送トランジスタと前記リセットトランジスタとは前記第１方向に配置される撮像素子。
【請求項９】
請求項８に記載の撮像素子において、
前記第１連結トランジスタと、前記第１転送トランジスタと、前記リセットトランジスタとは前記第１方向に順に配置される撮像素子。
【請求項１０】
請求項１〜９のいずれかに記載の撮像素子を備える撮像装置。
【手続補正２】
【補正対象書類名】明細書
【補正対象項目名】発明の名称
【補正方法】変更
【補正の内容】
【発明の名称】撮像素子及び撮像装置
【手続補正書】
【提出日】平成31年1月4日(2019.1.4)
【手続補正１】
【補正対象書類名】特許請求の範囲
【補正対象項目名】全文
【補正方法】変更
【補正の内容】
【特許請求の範囲】
【請求項１】
軸心回りに回転するシャフトと、
前記シャフトに固定された回転子鉄心と、を備え、
前記回転子鉄心には、
前記回転子鉄心の外周面における、ある箇所から他の箇所に至る複数のフラックスバリアが、前記軸心を通る所定の直線を通過するように並べられて形成されており、
前記フラックスバリアには、
前記フラックスバリアの長手方向の両端において前記回転子鉄心の外周面の一部を形成するブリッジ部を含む複数のブリッジ部が形成されており、
前記複数のブリッジ部の間に前記回転子鉄心における前記フラックスバリア以外の部分に比して透磁率が低い一つまたは複数のバリア領域が形成されており、
少なくとも一つの前記バリア領域には、永久磁石が設けられており、
前記永久磁石の磁化方向は、前記永久磁石の設けられた位置における前記フラックスバリアの長手方向に交差する方向に向けられており、
μ０：前記バリア領域における前記永久磁石が存在しない領域の透磁率
ＳＭ：前記シャフトの延在方向に直交する平面における前記永久磁石の断面積
Ｂｒ：前記永久磁石の残留磁束密度
μｒｅ：前記永久磁石のリコイル透磁率
ｔＦＢ：前記バリア領域の厚さの最小と最大の相加平均
ｗＢ：前記複数のブリッジ部の全ての幅の総和
とした場合に、（μ０×ＳＭ×Ｂｒ）／（μｒｅ×ｔＦＢ×ｗＢ）の値が、１．２以上且つ３．０以下の範囲内となる、
回転子。
【請求項２】
前記回転子鉄心には、前記フラックスバリアによって区画され、固定子により形成された磁束が通過する一つ以上の磁路が形成されている、
請求項１に記載の回転子。
【請求項３】
少なくとも一つの前記フラックスバリアの長手方向の両端のいずれか一方の側に偏した位置に形成された前記バリア領域には、前記永久磁石が設けられ、他方の側に偏した位置に形成された前記バリア領域には、前記永久磁石と同程度の質量を有する重量調整部材が設けられている、
請求項１または２に記載の回転子。
【請求項４】
前記バリア領域内において、前記回転子鉄心と前記永久磁石との間に非磁性体が充填されている、
請求項１から３のうちいずれか１項に記載の回転子。
【請求項５】
少なくとも一つの前記フラックスバリアには、複数の前記バリア領域が形成されており、複数の前記バリア領域のうち、前記シャフトに最も近いバリア領域に前記永久磁石が設けられている、
請求項１に記載の回転子。
【請求項６】
請求項１から５のうちいずれか１項に記載の回転子と、
前記回転子鉄心の外周に前記回転子鉄心と間隔をあけて配置され、互いに周方向に間隔をあけて配列された複数のティースを有する固定子鉄心と、
前記複数のティースにそれぞれ巻回された複数極の多相の電機子巻線と、
を備えるリラクタンスモータ。
【手続補正２】
【補正対象書類名】明細書
【補正対象項目名】０００６
【補正方法】変更
【補正の内容】
【０００６】
実施形態の回転子は、軸心回りに回転するシャフトと、シャフトに固定された回転子鉄心とを持つ。回転子鉄心には、回転子鉄心の外周面における、ある箇所から他の箇所に至る複数のフラックスバリアが、軸心を通る所定の直線を通過するように並べられて形成されている。フラックスバリアには、フラックスバリアの長手方向の両端において回転子鉄心の外周面の一部を形成するブリッジ部を含む複数のブリッジ部が形成されており、複数のブリッジ部の間に回転子鉄心におけるフラックスバリア以外の部分に比して透磁率が低い一つまたは複数のバリア領域が形成されている。少なくとも一つのバリア領域には、永久磁石が設けられている。永久磁石の磁化方向は、永久磁石の設けられた位置におけるフラックスバリアの長手方向に交差する方向に向けられている。μ０：バリア領域における永久磁石が存在しない領域の透磁率、ＳＭ：シャフトの延在方向に直交する平面における永久磁石の断面積、Ｂｒ：永久磁石の残留磁束密度、μｒｅ：永久磁石のリコイル透磁率、ｔＦＢ：バリア領域の厚さの最小と最大の相加平均、ｗＢ：複数のブリッジ部の全ての幅の総和、とした場合に、（μ０×ＳＭ×Ｂｒ）／（μｒｅ×ｔＦＢ×ｗＢ）の値が、１．２以上且つ３．０以下の範囲内となる。
【手続補正書】
【提出日】令和1年6月21日(2019.6.21)
【手続補正１】
【補正対象書類名】特許請求の範囲
【補正対象項目名】全文
【補正方法】変更
【補正の内容】
【特許請求の範囲】
【請求項１】
一対の振動基板、および前記一対の振動基板の間に配置されている圧電体を備えている振動部と、
一対の支持基板、および前記一対の支持基板の間に配置されている基板間部を備えている支持部と、
前記振動部と前記支持部とに配置されている配線と、を有し、
前記配線は、前記支持部から露出していることを特徴とする振動子。
【請求項２】
一方の前記振動基板および一方の前記支持基板を含む第１基板と、
他方の前記振動基板および他方の前記支持基板を含む第２基板と、を有する請求項１に記載の振動子。
【請求項３】
前記配線は、前記第１基板に配置されている第１配線と、前記第２基板に配置されている第２配線と、を有する請求項２に記載の振動子。
【請求項４】
前記支持部は、表面に開口する凹部を有し、前記凹部において前記配線が露出している請求項１ないし３のいずれか１項に記載の振動子。
【請求項５】
前記配線の前記露出している部分と接触している導電部を有する請求項１ないし４のいずれか１項に記載の振動子。
【請求項６】
前記導電部は、前記支持部から突出して配置されている請求項５に記載の振動子。
【請求項７】
前記一対の振動基板の間に、前記一対の振動基板が重なる方向に沿って積層された複数の前記圧電体を有する請求項１ないし６のいずれか１項に記載の振動子。
【請求項８】
請求項１ないし７のいずれか１項に記載の振動子と、
前記振動子に配置されている凸部と、を有することを特徴とする圧電アクチュエーター。
【請求項９】
複数の前記振動子を有し、
複数の前記振動子が積層されている請求項８に記載の圧電アクチュエーター。
【請求項１０】
前記支持部において前記配線と電気的に接続されている回路部品を有する請求項８または９に記載の圧電アクチュエーター。
【請求項１１】
請求項１ないし７のいずれか１項に記載の振動子を備えることを特徴とする圧電モーター。
【請求項１２】
請求項１ないし７のいずれか１項に記載の振動子を備えることを特徴とするロボット。
【請求項１３】
請求項１ないし７のいずれか１項に記載の振動子を備えることを特徴とする電子部品搬送装置。
【請求項１４】
一対の振動基板および前記一対の振動基板の間に配置されている圧電体を備えている振動部と、一対の支持基板および前記一対の支持基板の間に配置されている基板間部を備えている支持部と、前記振動部と前記支持部とに配置され、前記支持部から外部に露出する露出部を有する配線と、を有する振動子を準備する工程と、
めっき法によって前記露出部と接触する導電部を形成する工程と、を有することを特徴とする振動子の製造方法。
【手続補正書】
【提出日】平成30年11月28日(2018.11.28)
【手続補正１】
【補正対象書類名】明細書
【補正対象項目名】００４３
【補正方法】変更
【補正の内容】
【００４３】
第１負極バスバー８０Ｄは、図３に示すように、細長い板状のバスバー本体８１Ｄと、バスバー本体８１Ｄの一端からバスバー本体８１Ｄに対して垂直に延びる接続部８２Ｄとを備えている。バスバー本体８１Ｄは、図７に示すように、プリチャージリレー５０Ａの一方のバスバー接点５８に当接し、ボルトＢにより固定されている。接続部８２Ｄは、図４に示すように、主板４１を貫通して第１負極コネクタ４８Ｂに配設され、負極接続バスバー８５にボルトＢにより固定されている。負極接続バスバー８５は、電源の負極に接続される。また、負極接続バスバー８５には、電流センサ８６が取り付けられている。
【手続補正２】
【補正対象書類名】明細書
【補正対象項目名】００５９
【補正方法】変更
【補正の内容】
【００５９】
ヒートシンク１１３は、熱伝導性に優れる金属により構成された放熱部材である。このヒートシンク１１３は、図１６に示すように、枠体１１１の一方の開口部１１２Ａを塞いで配置される閉塞面１１４と、この閉塞面１１４から突出する上げ底部１１５とを有している。上げ底部１１５は、閉塞面１１４において、外周縁に隣接する一部分を除く部分に配置された、扁平な矩形の凸部である。上げ底部１１５が、枠体１１１の一方の開口部１１２Ａの内部にほぼ緊密に嵌合し、閉塞面１１４において、上げ底部１１５の周囲の部分が枠体１１１に当接することで、開口部１１２Ａが塞がれている。枠体１１１と閉塞面１１４との隙間は、図１５に示すように、コーキング材１１６によってシールされている。枠体１１１と閉塞面１１４とで囲まれた、冷却ケース１１０の内部空間には、実施形態１と同様に、液冷媒Ｒが貯留されており、液冷媒Ｒは、上げ底部１１５に接触している。
【手続補正３】
【補正対象書類名】明細書
【補正対象項目名】００６０
【補正方法】変更
【補正の内容】
【００６０】
枠体１１１において、ヒートシンク１１３とは反対側の開口部１１２Ｂは、実施形態１と同様に、回路構成体３０によって塞がれている。詳細には図示しないが、実施形態１と同様に、５つのバスバー８０Ａ、８０Ｂ、８０Ｃ、８０Ｄ、８０Ｅの接続部８２Ａ、８２Ｃ、８２Ｄ、８２Ｅを除く部分、プリチャージ抵抗器７０、および、３つのリレー５０Ａ、５０Ｂ、５０Ｃのバスバー接点５８が液冷媒Ｒに浸かっている。
【手続補正書】
【提出日】令和1年7月29日(2019.7.29)
【手続補正１】
【補正対象書類名】特許請求の範囲
【補正対象項目名】全文
【補正方法】変更
【補正の内容】
【特許請求の範囲】
【請求項１】
眼科用ＯＣＴ装置によって取得された被検眼のＯＣＴＭＣ（モーションコントラスト）画像データを解析するための眼科解析装置であって、
前記ＯＣＴＭＣ画像データを解析するための解析処理手段を備え、
前記解析処理手段は、取得時期が互いに異なる第１のＯＣＴＭＣ画像データと第２のＯＣＴＭＣ画像データとに基づいて、被検眼の血管領域に関する経時変化情報を含むＯＣＴ血管変化データを生成することを特徴とする眼科解析装置。
【請求項２】
前記解析処理手段は、第１のＯＣＴＭＣ画像データと第２のＭＣＯＣＴ画像データとの間において少なくとも深さ方向に関する位置合わせ処理を行い、位置合わせ処理された前記第１のＯＣＴＭＣ画像データと前記第２のＯＣＴＭＣ画像データに基づいて、前記ＯＣＴ血管変化データを生成することを特徴とする請求項１の眼科解析装置。
【請求項３】
前記解析処理手段は、深さ方向への感度減衰の影響による第１のＯＣＴＭＣ画像データと第２のＯＣＴＭＣ画像データとの間の明暗差を補正することを特徴とする請求項１〜２のいずれかの眼科解析装置。
【請求項４】
前記解析処理手段は、前記ＯＣＴ血管変化データとして、前記第１のＯＣＴＭＣ画像データと前記第２のＯＣＴＭＣ画像データとに基づいて被検眼の血管領域の増加と減少の少なくともいずれかに関する経時変化情報を含むＯＣＴ血管増減データを生成することを特徴とする請求項１〜３のいずれかの眼科解析装置。
【請求項５】
前記解析処理手段は、前記第１のＯＣＴＭＣ画像データに対するセグメンテーション結果を、前記第２のＯＣＴＭＣ画像データに適用して、特定の層領域に関する前記ＯＣＴ血管変化データを求めることを特徴とする請求項１〜４のいずれかの眼科解析装置。
【請求項６】
前記解析処理手段は、前記ＯＣＴ血管変化データを前記第１のＯＣＴＭＣ画像データと第２のＯＣＴＭＣ画像データのいずれかに反映させた画像データを表示部に表示することを特徴とする請求項１〜５のいずれかの眼科解析装置。
【請求項７】
請求項１〜６のいずれかに記載の眼科解析装置の解析処理手段としてコンピュータを機能させるための眼科解析プログラム。
【手続補正書】
【提出日】令和1年8月21日(2019.8.21)
【手続補正１】
【補正対象書類名】特許請求の範囲
【補正対象項目名】全文
【補正方法】変更
【補正の内容】
【特許請求の範囲】
【請求項１】
互いに異なる複数の波長の光を照射する光源と、
前記複数の波長の光のそれぞれが照射された被検体から発生する音響波を電気信号に変換する変換素子と、
前記電気信号を用いて前記被検体内の物質の濃度の分布情報を取得する信号処理手段と、
を有し、
前記信号処理手段は、
前記複数の波長の光のそれぞれに対応する複数の音圧分布情報を取得し、
前記複数の音圧分布情報、ユーザーからの指示に基づいて決定された前記被検体内のある位置における前記物質の濃度情報、及び前記複数の波長の光のそれぞれに対する前記物質による吸収に関する情報を用いて、前記被検体内の前記物質の濃度の分布情報を取得する
ことを特徴とする光音響装置。
【請求項２】
前記信号処理手段は、前記被検体内のある位置における前記物質の濃度に基づいて、前記被検体内における前記複数の波長の光の減衰に関する係数を取得し、前記係数をさらに用いて、前記被検体内の前記物質の濃度の分布情報を取得する
ことを特徴とする請求項１に記載の光音響装置。
【請求項３】
前記被検体内のある位置における前記物質の濃度として、酸素飽和度が用いられる
ことを特徴とする請求項２に記載の光音響装置。
【請求項４】
前記信号処理手段は、前記被検体内の異なる深さにある、略同一の吸収係数を有する物質に関する情報を用いる
ことを特徴とする請求項２または３に記載の光音響装置。
【請求項５】
前記信号処理手段は、前記係数として、前記被検体内における前記複数の波長の光の間の有効減衰係数の差に関する情報を取得する
ことを特徴とする請求項２ないし４のいずれか１項に記載の光音響装置。
【請求項６】
前記信号処理手段は、前記被検体内のある位置から、前記被検体の表面における光照射
領域までの距離に関する情報を用いて、前記係数を取得する
ことを特徴とする請求項２ないし５のいずれか１項に記載の光音響装置。
【請求項７】
前記音圧分布情報と、前記ユーザーが前記被検体内のある位置における前記物質の濃度を入力するためのガイドと、を表示手段に表示させる表示制御手段をさらに有する
ことを特徴とする請求項１ないし６のいずれか１項に記載の光音響装置。
【請求項８】
前記表示制御手段は、前記被検体内において血管の位置を抽出して前記ガイドを表示させる
ことを特徴とする請求項７に記載の光音響装置。
【請求項９】
前記表示制御手段は、前記被検体の表面における光照射領域の中心と対向する領域に前記ガイドを表示させる
ことを特徴とする請求項７に記載の光音響装置。
【請求項１０】
互いに異なる複数の波長の光を照射する光源と、
前記複数の波長の光のそれぞれが照射された被検体から発生する音響波を電気信号に変換する変換素子と、
前記電気信号を用いて前記被検体内の物質の濃度の分布情報を取得する信号処理手段と、
を有し、
前記信号処理手段は、
前記複数の波長の光のそれぞれに由来する複数の音圧分布情報を取得し、
前記被検体内における前記複数の波長の光の減衰に関する係数の差を示す情報を取得し、
前記複数の音圧分布情報、前記差を示す情報、及び前記複数の波長の光のそれぞれに対する前記物質による吸収に関する情報を用いて、前記被検体内の前記物質の濃度の分布情報を取得する
ことを特徴とする光音響装置。
【請求項１１】
ユーザーからの指示を受け付ける指示手段をさらに有し、
前記信号処理手段は、前記ユーザーによる前記指示手段を介した入力に基づいて、前記係数を取得する
ことを特徴とする請求項１０に記載の光音響装置。
【請求項１２】
前記信号処理手段は、前記複数の音圧分布情報のうち少なくとも１つから抽出した前記被検体内の部位に関する情報に基づいて、前記係数を取得する
ことを特徴とする請求項１０に記載の光音響装置。
【請求項１３】
互いに異なる複数の波長の光が照射された被検体から発生する音響波を電気信号に変換するステップと、
前記電気信号を用いて前記複数の波長の光のそれぞれに対応する複数の音圧分布情報を取得するステップと、
ユーザーからの指示に基づいて前記被検体内のある位置における物質の濃度情報を決定するステップと、
前記複数の音圧分布情報、前記物質の濃度情報、及び前記複数の波長の光のそれぞれに対する前記物質による吸収に関する情報を用いて、前記被検体内の前記物質の濃度の分布情報を取得するステップと、
を有することを特徴とする信号処理方法。
【手続補正書】
【提出日】令和1年6月18日(2019.6.18)
【手続補正１】
【補正対象書類名】特許請求の範囲
【補正対象項目名】全文
【補正方法】変更
【補正の内容】
【特許請求の範囲】
【請求項１】
遊技価値の払出数の総数である払出総数、および役物の作動中の遊技価値の払出数の総数である役物払出総数を記憶する払出数記憶手段と、
前記払出総数および前記役物払出総数に基づいて役物比率を百分率で算出する比率算出手段と、
前記比率算出手段によって算出された前記役物比率の数値を表示装置に表示させる制御を行う表示制御手段とを備え、
前記表示装置は２桁の数字を表示可能に構成され、
前記表示制御手段が、
前記役物比率の数値表示を１または２桁の数字で行い、
前記比率算出手段によって算出された前記役物比率が１００％未満であった場合には当該役物比率の数値を前記表示装置に表示させ、
前記比率算出手段によって算出された前記役物比率が１００％以上であった場合には当該役物比率の数値の替わりに予め定められた特定の表示を前記表示装置に行わせることを特徴とする遊技機。
【請求項２】
遊技価値の払出数の総数である払出総数、および第一種特別役物の作動中の遊技価値の払出数の総数である連続役物払出総数を記憶する払出数記憶手段と、
前記払出総数および前記連続役物払出総数に基づいて連続役物比率を百分率で算出する比率算出手段と、
前記比率算出手段によって算出された前記連続役物比率の数値を表示装置に表示させる制御を行う表示制御手段とを備え、
前記表示装置は２桁の数字を表示可能に構成され、
前記表示制御手段が、
前記連続役物比率の数値表示を１または２桁の数字で行い、
前記比率算出手段によって算出された前記連続役物比率が１００％未満であった場合には当該連続役物比率の数値を前記表示装置に表示させ、
前記比率算出手段によって算出された前記連続役物比率が１００％以上であった場合には当該連続役物比率の数値の替わりに予め定められた特定の表示を前記表示装置に行わせることを特徴とする遊技機。
【請求項３】
特別演出状態を含む複数種類の演出状態の間で演出状態を移行させ、前記特別演出状態では予め定められた特別演出状態の終了条件が成立した場合に当該特別演出状態を終了させる特別演出状態制御手段と、
通常区間と有利区間とを含む複数種類の遊技区間の間で遊技区間を移行させ、前記有利区間においてクリアカウンタの値を更新して前記クリアカウンタの値に基づいて前記有利区間を終了させて演出状態を初期化する初期化処理を実行する初期化手段と、
総遊技回数を記憶する総遊技回数記憶手段と、
前記有利区間の遊技回数の総数を記憶する有利区間遊技回数記憶手段と、
前記総遊技回数および前記有利区間の遊技回数の総数に基づいて前記総遊技回数に対する前記有利区間の遊技回数の総数の比率である有利区間滞在比率を百分率で算出する比率算出手段と、
前記比率算出手段によって算出された前記有利区間滞在比率の数値を表示装置に表示させる制御を行う表示制御手段と、を備え、
前記特別演出状態制御手段が、
前記有利区間において演出状態を前記特別演出状態に滞在させる場合が存在し、
前記初期化手段が、
前記通常区間において遊技区間を前記有利区間に移行させることが決定されたことに基づいて遊技区間を前記有利区間に移行させ、前記初期化処理を行う場合に、演出状態が前記特別演出状態である場合には前記特別演出状態の終了条件が成立していなくても当該特別演出状態を終了させ、
前記表示装置は２桁の数字を表示可能に構成され、
前記表示制御手段が、
前記有利区間滞在比率の数値表示を１または２桁の数字で行い、
前記比率算出手段によって算出された前記有利区間滞在比率が１００％未満であった場合には当該有利区間滞在比率の数値を前記表示装置に表示させ、
前記比率算出手段によって算出された前記有利区間滞在比率が１００％以上であった場合には当該有利区間滞在比率の数値の替わりに予め定められた特定の表示を前記表示装置に行わせることを特徴とする遊技機。